(57)【特許請求の範囲】
【請求項１】
複数の通信ポート間の通信経路を決めるスイッチにおいて、複数のスイッチが多段に直列接続された場合のホスト装置／ストレージ装置間の接続機能を疑似的に試験するスイッチの疑似試験方法であって、
前記スイッチの制御装置に、
前記スイッチ内におけるホスト装置側の通信ポートとストレージ装置側の通信ポートを一対で形成する通信経路を定義し、該通信経路を組み合わせてなる通信経路群を複数設定し記憶領域に記憶するステップと、
記憶された前記通信経路群から２以上の通信経路群を選択するステップと、
選択された前記２以上の通信経路群を運用中に切り替えたときに、前記スイッチの通信ポートにおいて生成する状態変更通知信号を前記ホスト装置及びストレージ装置に送信して接続を判定するステップと、
判定結果にしたがって、前記ストレージ装置と当該通信ポートとの接続をＯＮ／ＯＦＦさせるステップと、
を実行させることを特徴とするスイッチの疑似試験方法。
【請求項２】
複数の通信ポート間の通信経路を決めるスイッチにおいて、複数のスイッチが多段に直列接続された場合のホスト装置／ストレージ装置間の接続機能を疑似的に試験するスイッチの疑似試験プログラムであって、
前記スイッチの制御装置に、
前記スイッチ内におけるホスト装置側の通信ポートとストレージ装置側の通信ポートを一対で形成する通信経路を定義し、該通信経路を組み合わせてなる通信経路群を複数設定し記憶領域に記憶するステップと、
記憶された前記通信経路群から２以上の通信経路群を選択するステップと、
選択された前記２以上の通信経路群を運用中に切り替えたときに、前記スイッチの通信ポートにおいて生成する状態変更通知信号を前記ホスト装置及びストレージ装置に送信して接続を判定するステップと、
判定結果にしたがって、前記ストレージ装置と当該通信ポートとの接続をＯＮ／ＯＦＦさせるステップと、
を実行させるスイッチの疑似試験プログラム。
【請求項３】
複数の通信ポート間の通信経路を決めるスイッチにおいて、複数のスイッチが多段に直列接続された場合のホスト装置／ストレージ装置間の接続機能を疑似的に試験するスイッチの疑似試験装置であって、
前記スイッチ内におけるホスト装置側の通信ポートとストレージ装置側の通信ポートを一対で形成する通信経路を定義し、該通信経路を組み合わせてなる通信経路群を複数設定し記憶領域に記憶する手段と、
記憶された前記通信経路群から２以上の通信経路群を選択する手段と、
選択された前記２以上の通信経路群を運用中に切り替えたときに、前記スイッチの通信ポートにおいて生成する状態変更通知信号を前記ホスト装置及びストレージ装置に送信して接続を判定する手段と、
判定結果にしたがって、前記ストレージ装置と当該通信ポートとの接続をＯＮ／ＯＦＦさせる手段と、
を有することを特徴とするスイッチの疑似試験装置。
【発明の詳細な説明】
【技術分野】
【０００１】
本発明は、通常は２台以上のＦＣ（ファイバチャネル）スイッチを用いて実施するカスケード機能の評価試験を１台のＦＣスイッチで擬似的に行う技術に関する。
【背景技術】
【０００２】
銀行のオンラインシステムなどの基幹系システムにおいて、ホスト装置とストレージ（ＲＡＩＤ：Redundant Array of Inexpensive Disksともいう）装置とをファイバチャネル（ＦＣ：Fibre Channel ）構成にて接続する例が増加している。一般的に、ファイバチャネル構成は、図８に示すように、ホスト装置２に実装して用いるＨＢＡ（Host Bus Adaptor：ホストバスアダプタ) ２１、ＦＣスイッチ（ファイバチャネルスイッチ）１、およびストレージ装置３をＦＣケーブル（光ファイバケーブル）４で接続した構成となっている（例えば、特許文献１、２参照）。
【０００３】
そして、大規模なシステムにおいては、図９に示すように、複数のＦＣスイッチ１を直列に接続（ＦＣスイッチのカスケード接続) した構成を取ることもある。
【０００４】
カスケード接続した状態において、ＦＣスイッチ間同士を繋いでいるカスケード接続ケーブル５が何らかの理由で瞬断された場合、ＦＣスイッチ１がファイバチャネルの仕様に基づいたＲＳＣＮ（Registered State Change Notification：状態変更通知）と呼ばれる信号をＨＢＡ２１やストレージ装置３に出し、ケーブルが切断されたことを通知する。ＨＢＡ２１やストレージ装置３はＲＳＣＮ信号を受信すると、実行中のＩ／Ｏ（Input ／Output) を一旦破棄し、接続状態の確認後にＩ／Ｏの再送信を行なうことで、ケーブルが瞬断されても、Ｉ／Ｏを継続させることができ、接続が切れた場合にリソースを開放することができる。
【０００５】
このとき、カスケード接続時におけるＲＳＣＮ信号の送出の確認と、それに伴うホスト装置２、ＨＢＡ２１、ストレージ装置３を含めたシステムとしての動作を検証するためには、図１０に示すように、実際にカスケード接続した状態でスイッチ間のカスケード接続ケーブル５を挿抜する必要があった。以下に、２つのＦＣスイッチ間がカスケード接続された場合の従来の試験方法による手順を示す。
手順１：カスケード接続パスの伝送路異常を擬似するため、システム運用中にカスケード接続ケーブル５を抜く。
手順２：その際、構成変更があったことを、ストレージ装置３およびＨＢＡ２１と繋がっているＦＣポート（または通信ポート、以降、単にポートと表現する）から、ポートを特定できないＲＳＣＮ信号がホスト装置２およびストレージ装置３のポートにブロードキャストされる。
手順３：ポートを特定出来ないＲＳＣＮ信号の受信に伴い、各ポートは、ＦＣスイッチ１に現在接続されている相手の問い合わせを行い、その結果、接続されていないことが判るので、ホスト装置２とストレージ装置３間の接続が途切れることから、運用中のアプリケーションは異常終了する。
手順４：その後、ポートを特定できないＲＳＣＮ信号により、ホスト装置１およびストレージ装置３に、再度、カスケード接続ケーブル５を接続した時に、構成変更のあったことがホスト装置２およびストレージ装置３のポートにブロードキャストされる。
手順５：ポートを特定出来ないＲＳＣＮ信号の受信に伴い、各ポートは、ＦＣスイッチ１に現在接続されている相手の問い合わせを行い、その結果、接続されていることが判るので、アプリケーションを再起動させると正常に動作する。
【０００６】
上記手順で説明したように、ＦＣスイッチにおける一連の動作が期待値通りになっているか否かを確認するため、具体的には、アプリケーションの異常終了時に、適切なエラー処理が働くか、ケーブル再接続後の再起動時に、アプリケーションが問題なく再起動するかなど、システム全体としての動作確認が行われている。
【０００７】
しかしながら、システムの信頼性を向上させるためには、上述したようなカスケード接続の検証を行う必要があり、実施する際に、複数台のＦＣスイッチを準備しなければならず、コストの点で問題となっている。
【特許文献１】特開２００６−３９８７５号公報
【特許文献２】特開２００６−２７９３４７号公報
【発明の開示】
【発明が解決しようとする課題】
【０００８】
そこで、上述した問題を解決するために、本発明では、カスケード接続時に送出されるＲＳＣＮ信号がＦＣスイッチのゾーンの設定変更時に送出されるＲＳＣＮ信号と同じであることを利用し、カスケード接続ケーブルを瞬断するという物理的な接続変更動作の時と同じＲＳＣＮ信号を、１台のＦＣスイッチによる構成で送信させるＦＣスイッチのカスケード接続機能を擬似的に試験するスイッチの疑似試験方法、疑似試験プログラム、および疑似試験装置を提供する。具体的には、例えば、２種類のゾーンセットを用意し、評価試験の最中に該ゾーンセットを変更することで、新たにＦＣスイッチをカスケード接続した場合と同様の疑似動作を実現させるものである。
【課題を解決するための手段】
【０００９】
第一の発明は、複数の通信ポート間の通信経路を決めるスイッチにおいて、複数のスイッチが多段に直列接続された場合のホスト装置／ストレージ装置間の接続機能を疑似的に試験するスイッチの疑似試験方法であって、前記スイッチの制御装置は、前記スイッチ内におけるホスト装置側の通信ポートとストレージ装置側の通信ポートを一対で形成する通信経路を定義し、該通信経路を組み合わせてなる通信経路群を複数設定し記憶領域に記憶するステップと、記憶された前記通信経路群から２以上の通信経路群を選択するステップと、選択された前記２以上の通信経路群を運用中に切り替えたときに、前記スイッチの通信ポートにおいて生成する状態変更通知信号を前記ホスト装置及びストレージ装置に送信して接続を判定するステップと、判定結果にしたがって、前記ストレージ装置と当該通信ポートとの接続をＯＮ／ＯＦＦさせるステップと、を有することを特徴とするスイッチの疑似試験方法に関する。
【００１０】
すなわち、第一の発明によれば、スイッチの疑似試験方法において、スイッチの制御装置は、記憶手段が、スイッチ内におけるホスト装置側の通信ポートとストレージ装置側の通信ポートを一対で形成する通信経路を定義し、通信経路を組み合わせてなる通信経路群を複数設定し記憶領域に記憶し、選択手段が、記憶された通信経路群から２以上の通信経路群を選択し、判定手段が、選択された前記２以上の通信経路群を運用中に切り替えたときに、スイッチの通信ポートにおいて生成する状態変更通知信号をホスト装置及びストレージ装置に送信して接続を判定し、その判定結果にしたがって、ストレージ装置と当該通信ポートとの接続をＯＮ／ＯＦＦさせる構成とすることによって、複数のスイッチが多段に直列接続されている場合において、スイッチ間の接続が切断されるなど経路に変化があったときに、スイッチの通信ポートから送出される状態変更通知信号を、１台のスイッチ構成でも送出することが可能であり、通常は、２台以上のスイッチを用いて実施される接続機能の試験が、１台のスイッチで擬似的に行うことが可能となる。
【発明の効果】
【００１１】
以上、上述した本発明によれば、複数のスイッチが多段階に直列接続するカスケード接続時に送出されるＲＳＣＮ（状態変更通知）信号を、テストプログラムで制御する試験装置により、１台のＦＣスイッチの構成でも出すことが可能となり、それに伴い、通常は２台以上のスイッチを用いて実施するカスケード機能の評価試験を、１台のＦＣスイッチで擬似的に行うことが可能となる。
【発明を実施するための最良の形態】
【００１２】
以下、図面にもとづいて本発明の実施形態を説明する。
【００１３】
図１は、本発明の実施の形態になるファイバチャネルスイッチにおけるカスケード接続評価の機能ブロック図である。
【００１４】
本実施例におけるＦＣスイッチ（ファイバチャネルスイッチ）１の機能は、本発明のカスケード接続機能（複数のスイッチが多段に直列接続）の評価に着目したもので、ＦＣスイッチ１に備えられた他の機能は、従来と同様であるため以下の説明では省略している。また、ＦＣスイッチ１は、図示していないが、ＣＰＵ（Central Processing Unit ）およびメモリを備え、さらに制御部を備えたコンピュータである。
【００１５】
ＦＣスイッチ１は、ＦＣスイッチ１内のポートをホスト装置側のポートとストレージ装置側のポートを一対で形成するゾーン（通信経路）を定義し、該ゾーンを組み合わせた複数のゾーンセット（通信経路群）を設定するゾーンセット設定部１０１、該複数のゾーンセットをＦＣスイッチ１内の記憶領域に記憶するゾーンセット記憶部１０２、記憶された該複数のゾーンセットの中から評価対象とするゾーンセットを選択するゾーンセット選択部１０３、選択された複数の対象のゾーンセットを運用中に切り換えて評価するゾーンセット切替部１０４、切替え時に、ＦＣスイッチからホスト装置およびストレージ装置に送信するＲＳＣＮ信号からＦＣポートが接続する相手を判定するポート接続判定部１０５、およびその結果に応じてストレージ装置との接続を実行する接続処理部１０６から構成される。
【００１６】
そして、ＦＣスイッチ１は、コンソール端末１０からの管理者からのコマンド入力による指令を受けて、ホスト装置とストレージ装置を接続するため、上記構成からなる試験プログラムを処理する。
【００１７】
以下、図２〜図４を用いて、カスケード機能を一台のＦＣスイッチで評価する本発明の原理を説明する。
【００１８】
図２は、本発明の実施の形態になるカスケード機能を一台のＦＣスイッチで評価するためのゾーン設定例を示す。
【００１９】
ＦＣスイッチ１には，予め２種類のゾーンセット（通信経路群）として、ゾーンセットＡ（図２（ａ））およびゾーンセットＢ（図２（ｂ））を用意する。点線で囲ったものがゾーン（通信経路）である。これらゾーンは、同一ＦＣスイッチ１上でいくつも設定でき、それぞれ名前が付けられる。図２では、ゾーン１、ゾーン２、ゾーン３、ゾーン４、およびゾーン５と仮に名付ける。
【００２０】
ゾーンセットとは、これら個々のゾーンを配下にまとめたものとして定義する。図２（ａ）のゾーンセットＡは、ゾーン１、ゾーン２、ゾーン３が属し、図２（ｂ）のゾーンセットＢは、ゾーン３とゾーン４が属している。ゾーンセットＡを有効にすると、ゾーン１、ゾーン２、ゾーン３だけが同時に有効になり、またゾーンセットＢを有効にすると、ゾーン３とゾーン４だけが有効になる。これらゾーンセットの設定は、いつでも切り替えることができる。
【００２１】
図３は、本発明の実施の形態になるゾーンセットによるスイッチと他装置との接続状態を説明する図である。
【００２２】
初期状態として、ＦＣスイッチ１のゾーンをゾーンセットＡに設定し、ホスト装置２に備わるＨＢＡ２１、ストレージ装置３とは図に示す通り接続する。図３（ａ）は、初期の接続状態としてのゾーンセットＡの場合を示し、また、図３（ｂ）は、接続変更後のゾーンセットＢの場合を示している。
【００２３】
図４は、本発明の実施の形態になるポート切替え後のスイッチと他装置との接続状態を説明する図である。
【００２４】
図に示すように、ここで、ストレージ装置３側の接続を変更する。そして、ＦＣスイッチ１のゾーンをゾーンセットＢに切り換える。このようにゾーンを切り換えることで、新たに、ＦＣスイッチがカスケード接続されたときの動作と同じＲＳＣＮ信号が、他装置（ホスト装置２、ストレージ装置３）に送信されるため、カスケード機能評価にあたり、それまでＦＣスイッチ１を２台以上必要としたものを１台ですませることが可能となる。
【００２５】
ＦＣスイッチ１間を接続するカスケードの伝送路異常を発生させると、その伝送路をどの装置が使用しているか特定出来ないことから、全ポートに対し、異常になったポートが、特定できないＲＳＣＮ信号をブロードキャストする。
【００２６】
ゾーンセットを切り替える場合、ＦＣスイッチ１を跨いで、一部のポートが複数のゾーンで重なる事態が発生したり、複数のポートが同時にゾーンから消滅したりする。そのため、ゾーンセットの変更が有った場合、構成変更をＲＳＣＮ信号で通知するが、上記理由により１回のＲＳＣＮ通知で構成変更を通知できることから、ポートを特定できないＲＳＣＮ信号を使うこととなる。
【００２７】
図５は、ＦＣスイッチ／他装置間で送受信されるＲＳＣＮ信号のフォーマットを示す。ＲＳＣＮ信号は、ＦＣスイッチから送出される信号で、ＦＣスイッチに接続または切断された場合に、構成が変更されたことをホスト装置やストレージ装置など他装置に通知するときに使用される信号で、そのフォーマットは、ＡＮＳＩ（American National Standard）のファイバチャネル仕様ＦＣ−ＦＳで定義されている。
【００２８】
ファイバチャネルがデータを送受信する基本単位であるフレームは、ＳＯＦ（Start of Frame：フレーム開始）、フレームヘッダ、データフィールド、ＣＲＣ（Cyclic Redundancy Check ）、およびＥＯＦ（End of Frame）で構成される。ＳＯＦは、フレームの先頭に付ける４バイトの識別子であり、また、ＥＯＦは、フレームの最後に付ける４バイトの識別子で、ＳＯＦとＥＯＦによってフレームの境界が示される。ファイバチャネルでは、フレームがないときは、アイドル信号が流れている。
【００２９】
フレームヘッダには、フレームタイプ、上位プロトコルタイプ、送信元／送信先のアドレスを表わすＮ＿Ｐｏｒｔ＿ＩＤ情報や、ポートの識別子を表わすＮ＿Ｐｏｒｔ＿Ｎａｍｅ情報等を含まれている。また、データフィールドの先頭部には、上位レイヤのヘッダを付け、これにデータそのものを運ぶペイロード部が続く。さらに、ＣＲＣは、フレームヘッダとデータフィールドのデータをチェックするための４バイトのチェックコードである。
【００３０】
図５（ａ）は、Ｐｏｒｔ＿ＩＤを通知する場合を示し、図５（ｂ）は、Ｐｏｒｔ＿ＩＤを特定しない場合を示している。転送データは、フレームの開始を示すＳＯＦ／終了を示すＥＯＦの間に４バイトで構成されるＷｏｒｄ００〜０７の各フィールドに示される。
【００３１】
図５のフォーマット例において、例えば、Ｐｏｒｔ＿ＩＤを通知する場合、Ｗｏｒｄ７において、Ｔｙｐｅ０、Ｐｏｒｔ＿ＩＤが示され、またＰｏｒｔ＿ＩＤを特定しない場合は、Ｔｙｐｅ３、ファブリック（スイッチ）グループで通知することが示されている。
【００３２】
なお、上記フォーマットにおけるＰｏｒｔなどの通知の種類は以下の４通りある。
【００３３】
Ｔｙｐｅ０：ポートアドレス
Ｔｙｐｅ１：エリアアドレスグループ
Ｔｙｐｅ２：ドメインアドレスグループ
Ｔｙｐｅ３：ファブリックアドレスグループ
この内、本発明では、Ｔｙｐｅ０とＴｙｐｅ３を使用する。Ｔｙｐｅ０のポートアドレスは、そのポートで切断または接続され、構成変更が有ったことを示し、Ｔｙｐｅ３は、スイッチのポートを特定できない場合（複数のポートが同時の場合) に構成変更が有ったことを示す。
【００３４】
ここで、上記フォーマットにおいて、Ｄ＿ＩＤ（Destination ID）は、フレーム受け取り側のアドレス識別子であり、また、Ｓ＿ＩＤ（Source ID ）は、フレーム送信側のＮ＿Ｐｏｒｔアドレス識別子であり、それぞれＮ＿Ｐｏｒｔ＿ＩＤ情報等を含んでいる。また、図中に表記された他の略語の内容は、下記の通りである。
Ｒ＿ＣＴＬ（Routine Control ）：フレームの種類と他のフィールドとの関連におけるデータの属性を示す。
ＣＳ＿ＣＴＬ（Class Specific Control）：クラスサービス独自の制御を示す。
Ｆ＿ＣＴＬ（Frame Control ）：最初のシーケンス、最後のシーケンス、送信側がオリジネータかカレスポンダか等、シーケンスやエクスチェンジの属性を示す。
ＳＥＱ＿ＩＤ（Sequence ID ）：シーケンスに固有の番号で、各々のＤ＿ＩＤとＳ＿ＩＤの対に対して決められる。
ＤＦ＿ＣＴＬ（Data Field ID ）：オプショナルヘッダを使用する場合、ヘッダのデータ長を指定する。
ＳＥＱ＿ＣＴＬ（Sequence Count）：一つのシーケンス中のフレームの順番、または同じエクスチェンジ中のシーケンスの順番を示す。
ＯＸ＿ＩＤ（Originator Exchange ID）：オリジネータ（送信元）が発行するエクスチェンジ番号を示す。
ＲＸ＿ＩＤ（Responder Exchange ID ）：レスポンダ（受信先）が発行するエクスチェンジ番号を示す。
【００３５】
以上、上述してきた本発明になるカスケード機能の評価フローを図６、図７を用いて以下に説明する。
【００３６】
図６は、本発明の実施の形態になるＦＣスイッチにおけるゾーンセットの設定フローを示す。
ステップＳ１：コンソール端末１０で管理者が入力したデータに基づいて、ＦＣポートのゾーンを複数組合せたゾーンセットを作成する。例えば、ゾーンセット設定例として、図３に示したように、ゾーン１（ＦＣポート番号２と６で構成）、ゾーン２（ＦＣポート番号３と７で構成）、およびゾーン３（ＦＣポート番号４と８で構成）を配下とするゾーンセットＡと、ゾーン４（ＦＣポート番号３と６で構成）およびゾーン５（ＦＣポート番号４と８で構成）を配下とするゾーンセットＢの２つのゾーンセットが、ゾーンセット設定部１０１によって設定される。
ステップＳ２：作成された当該ゾーンセットをＦＣスイッチ内の記憶領域に保存する。
【００３７】
図７は、本発明の実施の形態になるカスケード機能の試験装置における評価フロー（ＦＣスイッチ１台による評価）を示す。本実施例では、ゾーンセット記憶部１０２に記憶された複数のゾーンセットの内、ゾーンセット選択部１０３によって評価対象のゾーンセットＡとＢの２つが選択された場合を例としている。以下のフローでは、１つのＦＣスイッチを使って、ゾーンセットとして、上記２つのゾーンセットＡとＢが選択され、一方のゾーンセットを運用中に他方のゾーンセットに切替る構成としている。
ステップＳ１１：ゾーンセットＡで運用させ、運用中のゾーンセットＡをゾーンセットＢに変更する。
ステップＳ１２：変更時におけるカスケード接続パスの状態変更に関し、ＦＣポートを特定できないＲＳＣＮ信号（Ｔｙｐｅ３）をホスト装置２及びストレージ装置３の全ポートに送信する。
ステップＳ１３：ＦＣポートを特定出来ないＲＳＣＮ信号の受信に伴い、各ＦＣポートはＦＣスイッチに現在接続されている相手の問い合わせを行う。
ステップＳ１４：ＦＣポートは現在接続相手がいるか否かを判定する。
ステップＳ１５：接続相手が接続されていないことが判明し、ホスト装置によって接続パスが切断される。一方、ステップＳ１４において、相手が存在したときには、ステップＳ３２で、エラー処理を行う。
ステップＳ１６：ストレージ側のパスとして、ＦＣポート番号を７から６に入替える。
ステップＳ１７：ＦＣポート番号６を接続したときに、ポート番号３からＰｏｒｔ＿ＩＤを通知するＴｙｐｅ０のＲＳＣＮ信号をスイッチからホスト装置へ送信する。
ステップＳ１８：ＦＣポートが特定されるＲＳＣＮ信号の受信に伴い、該ＦＣポートはＦＣスイッチに現在接続されている相手の問い合わせを行う。
ステップＳ１９：ホスト装置２及びストレージ装置３は同一ゾーンにあるか否かを判定する。
ステップＳ２０：ホスト装置２とストレージ装置３が同一ゾーンにあるとの判定であれば、ストレージ装置３との接続動作を行う。一方、ステップＳ１９において、同一ゾーンにないとの判定であれば、ステップＳ３２で、エラー処理を行う。
ステップＳ２１：つぎに、ストレージ装置３側のパスを、ポート番号６から７に入れ替える。
ステップＳ２２：ポート番号切替え時に、ポート番号３からＰｏｒｔ＿ＩＤを通知するＴｙｐｅ０のＲＳＣＮ信号をスイッチからホスト装置へ送信する。
ステップＳ２３：ポートが特定されるＲＳＣＮ信号の受信に伴い、ＦＣポートはＦＣスイッチに現在接続されている相手の問い合わせを行う。
ステップＳ２４：ホスト装置２及びストレージ装置３は同一ゾーンにあるか否かを判定する。
ステップＳ２５：ストレージ装置３が同一ゾーンになければ、切断されたと判断してホスト装置２が接続パスを切断し、Ｉ／Ｏ動作を遮断する。一方、ステップＳ２４において、同一ゾーンにあると判定されたら、ステップＳ３３において、エラーとして処理する。
ステップＳ２６：つぎに、ゾーンセットをＢからＡへと元に戻す。
ステップＳ２７：ポートが特定出来ないＴｙｐｅ３のＲＳＣＮ信号をホスト装置２及びストレージ装置３へ送信する。
ステップＳ２８：ＦＣポートが特定出来ないＲＳＣＮ信号の受信に伴い、各ＦＣポートはＦＣスイッチに現在接続されている相手の問い合わせを行う。
ステップＳ２９：ホスト装置２及びストレージ装置３は同一ゾーンにあるか否かを判定する。
ステップＳ３０：ホスト装置２とストレージ装置３が同一ゾーンにあれば、ストレージ装置３との接続動作を行う。一方、ステップＳ２９において、同一ゾーンにないとの判定であれば、ステップＳ３３において、エラーとして処理する。
ステップＳ３１：そして、アプリケーションを再起動させ、正常運用を確認する。
【図面の簡単な説明】
【００３８】
【図１】本発明の実施の形態になるファイバチャネルスイッチにおけるカスケード接続評価の機能ブロック図である。
【図２】本発明の実施の形態になるカスケード機能を一台のＦＣスイッチで評価するためのゾーン設定例を示す図である。
【図３】本発明の実施の形態になるゾーンセットによるスイッチと他装置との接続状態を説明する図である。
【図４】本発明の実施の形態になるポート切替え後のスイッチと他装置との接続状態を説明する図である。
【図５】ＦＣスイッチ／他装置間で送受信されるＲＳＣＮ信号のフォーマットである。
【図６】本発明の実施の形態になるＦＣスイッチにおけるゾーンセットの設定フローを示す図である。
【図７】本発明の実施の形態になるカスケード機能の試験装置における評価フロー（ＦＣスイッチ１台による評価）を示す図である。
【図８】従来のファイバチャネルの接続例である。
【図９】従来のファイバチャネルの大規模システムカスケード接続例である。
【図１０】従来のカスケード接続の試験方法である。
【符号の説明】
【００３９】
１  ファイバチャネルスイッチ（ＦＣスイッチ）
２  ホスト装置
３  ストレージ装置
４  ＦＣケーブル
５  カスケード接続ケーブル
１０  コンソール端末
１１  ＦＣポート
２１  ＨＢＡ（ホストバスアダプタ）
１０１  ゾーンセット設定部
１０２  ゾーンセット記憶部
１０３  ゾーンセット選択部
１０４  ゾーンセット切替部
１０５  ポート接続判定部
１０６  接続処理部
【図１】
0005245535.tif 000002
【図２】
0005245535.tif 000003
【図３】
0005245535.tif 000004
【図４】
0005245535.tif 000005
【図５】
0005245535.tif 000006
【図６】
0005245535.tif 000007
【図７】
0005245535.tif 000008
【図８】
0005245535.tif 000009
【図９】
0005245535.tif 000010
【図１０】
0005245535.tif 000011